(57)【特許請求の範囲】
【請求項１】
地表面下の所望の深さに埋設され、上面に内外に貫通開口させた取水口を開口させたプラスチック製の排水管と、該排水管の上面に固定された断面が矩形状をなす角筒状に形成された立て向きの通水筒とを有し、前記通水筒は、その下端側の開口内に前記取水口を開口させて前記排水管に下端側が固定されているとともに、上端側の開口が前記地表面に開口された集水口となっており、該集水口にグレーチングが嵌合されている排水溝構造であって、
前記通水筒は、下端が前記排水管の上面に固定された固定筒と、該固定筒の上端側に上下に相対移動可能に嵌合され、上端が前記集水口となっている調整筒とから構成され、該調整筒の前記固定筒に対する調整筒の固定高さ位置及び相対角度を調整することによって該通水筒の上下方向の長さ及び集水口の角度が調整されるようになっている排水溝構造。
【請求項２】
前記固定筒の前記矩形状の幅方向に対向する側壁には、間隔を隔てて長穴状の固定筒ボルト挿入孔が形成されているとともに、前記調整筒の同幅方向に対向する側壁の前記固定筒ボルト挿入孔に対応する位置には、長穴状の調整筒ボルト挿入孔が形成されており、前記固定筒と前記調整筒とを、前記固定筒ボルト挿入孔と前記調整筒ボルト挿入孔とにボルトを挿通させて固定し、
前記固定筒ボルト挿入孔と前記調整筒ボルト挿入孔との何れか一方又は双方がその前記長穴状の長さ方向を前記排水管の長さ方向と交差する向きに形成され、前記ボルトを前記両ボルト挿入孔に挿通する際に、前記両ボルト挿入孔におけるボルト挿通位置を変えることにより、前記調整筒と前記固定筒の嵌合位置の高さを調整することができるようになっている請求項１に記載の排水溝構造。
【請求項３】
前記調整筒の断面の幅方向に対向する側壁の外面には、前記集水口に沿って板状のフランジ部が突設されているとともに、前記通水筒と前記排水管の周囲にコンクリートが打設されている請求項１又は２に記載の排水溝構造。
【請求項４】
前記排水管の取水口は、排水管の長さ方向に所定の間隔を隔てて複数備えられ、その複数の取水口が、１つの通水筒内に開口されている請求項１〜３の何れか１に記載の排水溝構造。
【請求項５】
前記排水管は、所定の間隔を隔てて設置した枕コンクリートブロック上に、該枕コンクリートブロック上面に形成された排水管嵌合用凹部内に嵌合されて載せられているとともに、該枕コンクリートブロックに対し、固定具によって固定されている請求項１〜４の何れか１に記載の排水溝構造。
【発明の詳細な説明】
【技術分野】
【０００１】
本発明は、ビルの周囲、公園、道路等に設置される排水溝構造に関する。
【背景技術】
【０００２】
従来、道路の側溝や公園、ビルの周囲等の排水溝構造としては、断面がＵ字形をしたコンクリート製のＵ字溝ブロックを使用したものが一般的であり、この種のＵ字溝ブロックを使用した排水溝の開口部は、蓋ブロックによって閉鎖されるようになっている。
【０００３】
また、近年、公園やビルの周囲等における美粧舗装材によって舗装された場所に、Ｕ字溝ブロックを設置する場合は、図９〜図１０に示すような溝蓋を設置した構造のものが使用されている。この溝蓋４１は、略長方形状に形成され、その両側縁が帯状の排水部（グレーチング）４２，４２となっており、この排水部４２，４２からＵ字溝ブロック内に水が流れるようになっている。そして、溝蓋４１の排水部４２，４２に挟まれた中央部分は、上部が開口されたステンレス製の箱状体４３となっており、その箱状体４３内に周囲と同様な舗装材４４が設置することができるようになっている。このように、この溝蓋４１は、グレーチング部分を少なくするとともに、他の部分に周囲と同様な舗装材４４を設置することにより、周囲の環境に合わせた構造となっている。（特許文献１）
【特許文献１】実開平６−１４８３
【発明の開示】
【発明が解決しようとする課題】
【０００４】
しかし、上述のような排水溝構造は、コンクリート製のＵ字溝ブロックを使用しているため、例えば、ビルとビルの間等の狭い空間にＵ字溝ブロックを設置する場合、大きな溝を掘る必要があり、施工が困難であるという問題があった。また、Ｕ字溝ブロックは、重いため、施工現場における作業性が悪く、施工に時間がかかるという問題があった。更に、溝蓋がＵ字溝に掛け渡す形状であるため、溝蓋のステンレス部分が多く、高価であるという問題があった。
【０００５】
本発明はこのような従来の問題に鑑み、美観を損なわない排水溝構造であって、尚且つ低コストで施工時の作業性に優れた排水溝構造の提供を目的としてなされたものである。
【課題を解決するための手段】
【０００６】
上述の如き従来の問題を解決し、所期の目的を達成するための請求項１に記載の発明の特徴は、地表面下の所望の深さに埋設され、上面に内外に貫通開口させた取水口を開口させたプラスチック製の排水管と、該排水管の上面に固定された断面が矩形状をなす角筒状に形成された立て向きの通水筒とを有し、前記通水筒は、その下端側の開口内に前記取水口を開口させて前記排水管に下端側が固定されているとともに、上端側の開口が前記地表面に開口された集水口となっており、該集水口にグレーチングが嵌合されている排水溝構造であって、前記通水筒は、下端が前記排水管の上面に固定された固定筒と、該固定筒の上端側に上下に相対移動可能に嵌合され、上端が前記集水口となっている調整筒とから構成され、該調整筒の前記固定筒に対する調整筒の固定高さ位置及び相対角度を調整することによって該通水筒の上下方向の長さ及び集水口の角度が調整されるようになっている排水溝構造にある。
【０００７】
請求項２に記載の発明の特徴は、請求項１に記載の構成に加え、前記固定筒の前記矩形状の幅方向に対向する側壁には、間隔を隔てて長穴状の固定筒ボルト挿入孔が形成されているとともに、前記調整筒の同幅方向に対向する側壁の前記固定筒ボルト挿入孔に対応する位置には、長穴状の調整筒ボルト挿入孔が形成されており、前記固定筒と前記調整筒とを、前記固定筒ボルト挿入孔と前記調整筒ボルト挿入孔とにボルトを挿通させて固定し、前記固定筒ボルト挿入孔と前記調整筒ボルト挿入孔との何れか一方又は双方がその前記長穴状の長さ方向を前記排水管の長さ方向と交差する向きに形成され、前記ボルトを前記両ボルト挿入孔に挿通する際に、前記両ボルト挿入孔におけるボルト挿通位置を変えることにより、前記調整筒と前記固定筒の嵌合位置の高さを調整することができるようになっていることにある。
【０００８】
請求項３に記載の発明の特徴は、請求項１又は２に記載の構成に加え、前記調整筒の断面の幅方向に対向する側壁の外面には、前記集水口に沿って板状のフランジ部が突設されているとともに、前記通水筒と前記排水管の周囲にコンクリートが打設されていることにある。
【０００９】
請求項４に記載の発明の特徴は、請求項１〜３の何れか１に記載の構成に加え、前記排水管の取水口は、排水管の長さ方向に所定の間隔を隔てて複数備えられ、その複数の取水口が、1つの通水筒内に開口されていることにある。
【００１０】
請求項５に記載の発明の特徴は、請求項１〜４の何れか１に記載の構成に加え、前記排水管は、所定の間隔を隔てて設置した枕コンクリートブロック上に、該枕コンクリートブロック上面に形成された排水管嵌合用凹部内に嵌合されて載せられているとともに、該枕コンクリートブロックに対し、固定具によって固定されていることにある。
【発明の効果】
【００１１】
本発明に係る排水溝構造においては、地表面下の所望の深さに埋設され、上面に内外に貫通開口させた取水口を開口させたプラスチック製の排水管と、排水管の上面に固定された断面が矩形状をなす角筒状に形成された立て向きの通水筒とを有し、通水筒は、その下端側の開口内に取水口を開口させて排水管に下端側が固定されているとともに、上端側の開口が地表面に開口された集水口となっており、集水口にグレーチングが嵌合されているので、コンクリート製のＵ字溝ブロックより軽く、作業性に優れている。また、容易に形成できる。
【００１２】
更に、通水筒は、下端が排水管の上面に固定された固定筒と、固定筒の上端側に上下に相対移動可能に嵌合され、上端が集水口となっている調整筒とから構成され、調整筒の固定筒に対する調整筒の固定高さ位置及び相対角度を調整することによって通水筒の上下方向の長さ及び集水口の角度が調整されるようになっているものが使用されているので、調整筒の固定筒に対する固定位置を調整することによって、集水口に対して、排水管自体を傾斜させて設置することができ、排水管内に傾斜を設けなくても、容易に水が流れるようにすることができる。
【００１３】
更に、固定筒の矩形状の幅方向に対向する側壁には、間隔を隔てて長穴状の固定筒ボルト挿入孔が形成されているとともに、調整筒の同幅方向に対向する側壁の固定筒ボルト挿入孔に対応する位置には、長穴状の調整筒ボルト挿入孔が形成されており、固定筒と調整筒とを、固定筒ボルト挿入孔と調整筒ボルト挿入孔とにボルトを挿通させて固定し、固定筒ボルト挿入孔と調整筒ボルト挿入孔との何れか一方又は双方がその長穴状の長さ方向を排水管の長さ方向と交差する向きに形成され、ボルトを両ボルト孔に挿通する際に、両ボルト孔におけるボルト挿通位置を変えることにより、調整筒と固定筒の嵌合位置の高さを調整することができるようになっているので、調整筒を固定筒に対する固定位置を容易に調整できる。
【００１４】
また、調整筒の断面の幅方向に対向する側壁の外面には、集水口に沿って板状のフランジ部が突設されているとともに、通水筒と排水管の周囲にコンクリートが打設されているので、調整筒のフランジ部がコンクリートによって固定され、調整筒を好適に固定することができる。
【００１５】
また、排水管の取水口は、排水管の長さ方向に所定の間隔を隔てて複数備えられ、その複数の取水口が、1つの通水筒内に開口されているため、排水管の長さ方向に連続させた大きな取水孔を設けた場合と比較して、排水管の強度を保つことができる。
【００１６】
また、排水管は、所定の間隔を隔てて設置した枕コンクリートブロック上に、枕コンクリートブロック上面に形成された排水管嵌合用凹部内に嵌合されて載せられているとともに、枕コンクリートブロックに対し、固定具によって固定されていることにより、排水管の周りにコンクリートを打設した際の排水管の浮き上がりを防止することができる。
【発明を実施するための最良の形態】
【００１７】
次に本発明の実施の形態を図１〜図８に示した実施例に基づいて説明する。
【００１８】
本発明における排水溝構造１は、図１に示すように、地表面Ａに沿って埋設されているプラスチック製排水管２と、その上部に設置され、排水管２と地表面Ａ上とを連通する金属製の通水筒３とから構成されている。
【００１９】
排水管２は、塩化ビニル製で略円筒形状に形成されており、内部を水が流れるようになっている。そして、その上部には、取水口４が貫通開口されており、この取水口４から水を取り入れることができるようになっている。この取水口４は、図２に示すように、排水管２の長さ方向に間隔を開けて複数形成されている。そして、この取水口４を囲むように通水筒３が設置されている。
【００２０】
この通水筒３は、断面が矩形状をなす角筒状に形成され、排水管２の上面に立て向きに設置されている。また、この通水筒３は排水管２と略等しい長さに形成されている。そして、この通水筒３の下端側の開口内に、排水管２の取水口４を複数開口させるようにして、通水筒３の下端側が排水管２に固定されている。上端側の開口は、地表面Ａに開口され、集水口５となっている。また、この集水口５には、グレーチング６が嵌合されている。地表面Ａ上を流れる水は、この集水口５から通水筒３を通って排水管２内に取り入れられるようになっている。
【００２１】
この通水筒３は、排水管２に固定される断面が矩形状をなす角筒状の固定筒１１と、固定筒１１の上側に嵌合され、上端に集水口５を開口させた断面が矩形状をなす角筒状の調整筒１２とから構成されている。この固定筒１１と調整筒１２は、相対移動可能に嵌合され、互いに固定する位置を変えることができるようになっている。
【００２２】
調整筒１２と固定筒１１の側面、即ち断面矩形状に形成された調整筒１２と固定筒１１の幅方向の側壁には、それぞれ調整筒ボルト挿入孔１３，１３......と、固定筒ボルト挿入孔１４，１４......が間隔を開けて貫通開口されており、この両ボルト孔１３，１４にボルト１５，１５......を挿通させて、調整筒１２と固定筒１１を互いに固定するようになっている。また、これらのボルト孔１３，１４は長穴状に形成されており、ボルト１５，１５......の挿通位置を変えることができるようになっている。そして、ボルト１５，１５......の挿通位置を変えることによって、調整筒１２の固定筒１１に対する固定高さ位置を調節することができるようになっている。また、調整筒の固定筒に対する固定高さ位置及び相対角度を調整することによって、通水筒の上下方向の長さ及び集水口の角度を調整することができるようになっている。
【００２３】
固定筒１１は、略角筒状に形成され、排水管２の取水口４を囲むように排水管２に設置されている。この固定筒１１は、その下部にフランジ部１６，１６を有し、このフランジ部１６，１６を排水管２に重ねて固定されている。このフランジ部１６，１６は、図３に示すように、固定筒１１の矩形断面幅方向に対向する側壁の外側面から外向きに突設した板状材からなっている。そして、この板状材は、排水管２に重ねられるように略弧状に形成されている。また、フランジ部１６，１６には、複数の固定用貫通孔１７，１７......が形成されている。この固定用貫通孔１７，１７......は、排水管２に形成されている固定用貫通孔１８，１８......に対応する位置に形成されており、これらの固定用貫通孔１７，１８にブラインドリベット１９，１９......を挿通し、このブラインドリベット１９，１９......によって、固定筒１１のフランジ部１６，１６と排水管２とを固定している。
【００２４】
また、この固定筒１１の矩形断面幅方向に対向する側壁には、長穴状の固定筒ボルト挿入孔１４，１４......が所定の間隔を開けて形成されている。この固定筒ボルト挿入孔１４，１４......は、矩形断面幅方向に対向する両側壁を貫通させて設けられている。即ち、両側壁に同配置に形成されている。また、固定筒ボルト挿入孔１４，１４......は、固定筒１１の矩形断面幅方向に対向する側壁の長さ方向両端部と中央部に形成されており、両端部に形成されている固定筒ボルト挿入孔１４，１４......は、長穴を交差させたＸ字状に形成されている。また、中央部に形成されている固定筒ボルト挿入孔１４，１４......は、長穴を交差させた十字状に形成されている。
【００２５】
また、固定筒１１の長さ方向両端部の下側は、内側に凹んだ形状、即ちテーパ状に形成されている。従って、固定筒１１，１１同士を長さ方向に突き合わせ配置とした際には、その突合せ部分下側と排水管との間には空間ができ、排水管２，２同士を連結するための連結筒を排水管２，２の外側に嵌合することができるようになっている。
【００２６】
この固定筒１１の上側に設置される調整筒１２は、図４に示すように、固定筒１１に嵌合される部分である断面が矩形状をなす角筒状の調整筒下枠部１２ａと、この調整筒下枠部１２ａの上端部に嵌合された、断面が矩形状をなす調整筒上枠部１２ｂを有し、この調整筒上枠部１２ｂにグレーチング６が嵌合されるようになっている。
【００２７】
調整筒下枠部１２ａの矩形断面幅方向に対向する側壁には、調整筒ボルト挿入孔１３，１３......が貫通開口されている。この調整筒ボルト挿入孔１３，１３......は、調整筒下枠部１２ａの矩形断面幅方向に対向する側壁を貫通するように、両側壁に同配置に形成されている。この調整筒ボルト挿入孔１３，１３......は、固定筒ボルト挿入孔１４，１４......に対応する位置、即ち、調整筒下枠部１２ａ側面の長さ方向両端部と中央部に形成されており、調整筒１２と固定筒１１を貫通させるように、ボルト１５，１５......を挿通させることができるようになっている。また、調整筒下枠部１２ａ側面中央部の調整筒ボルト挿入孔１３は、開口部が縦に直線状となるように形成されており、同両端部の調整筒ボルト挿入孔１３，１３は、開口部が斜めに開口された長穴状に形成されている。
【００２８】
この調整筒下枠部１２ａの上端開口の矩形断面幅方向には、支持板２１，２１......が架橋状に設置され、調整筒上枠部１２ｂ内に嵌合されるグレーチング６が、この支持板２１，２１......上に載置されるようになっている。さらに、調整筒下枠部１２ａの矩形断面幅方向両側面には、集水口５に沿って調整筒フランジ部２２，２２が形成されている。この調整筒フランジ部２２，２２は、調整筒下枠部１２ａの側面下端から側面と垂直外向きに板状材を突設して形成されている。
【００２９】
この調整筒下枠部１２ａの上部には、調整筒上枠部１２ｂが嵌合されて固定されている。この調整筒上枠部１２ｂは、調整筒下枠部１２ａの上部外側に嵌合され、溶接によって調整筒下枠部１２ａに固定されている。そして、この調整筒上枠部１２ｂの上側開口が地表面Ａに開口され、集水口５となっており、グレーチング６が嵌合されている。
【００３０】
このように形成されている調整筒１２は、図５に示すように、固定筒１１の上外側に嵌合し、調整筒ボルト挿入孔１３，１３......と固定筒ボルト挿入孔１４，１４......に、調整筒１２と固定筒１１を貫通させるようにボルト１５，１５......を挿通させ、このボルト１５，１５......にナット２３，２３......を螺合して、調整筒１２を固定筒１１に固定するようになっている。また、ボルト１５，１５......を挿通させる際には、ワッシャー２４，２４......を介している。
【００３１】
また、その際には、図６に示すように、固定筒１１に対し、調整筒１２の一端側を低く固定するとともに、他端側を高く固定し、排水管２に対して集水口５が傾斜するように、調整筒１２を設置することができる。そうすることにより、地表面Ａに対して、排水管２を傾斜させた状態に設置することができる。
【００３２】
この排水溝構造１の排水管２同士を連結する際には、円筒形状に形成されたプラスチック製の連結筒２５を介して行う。この連結筒２５は、その内径が排水管２の外径と略等しく形成されており、この連結筒２５内に排水管２が嵌合されるようになっている。そして、連結筒２５の両端から、連結する排水管２を挿入し、連結筒２５内で突き合わせることによって、排水管２同士を連結するようになっている。
【００３３】
また、この排水溝構造１を設置する際には、図７に示すように、コンクリート製の枕コンクリートブロック２７を、排水溝構造１の延伸方向に間隔を開けて複数設置し、その枕コンクリートブロック２７上に掛け渡すように排水管２を設置するとよい。この枕コンクリートブロック２７の上面には、排水管嵌合用凹部２７ａが形成されており、排水管２が、この排水管嵌合用凹部２７ａに嵌合されて載せられるようになっている。
【００３４】
また、排水溝構造１を設置する際には、図８に示すように、排水溝構造設置用の溝２６を掘り、その溝２６内に設置する。そして、排水管２及び通水筒３の周りには、コンクリート２８を打設するとよい。また、コンクリート２８を打設する際には、排水管２の浮き上がりを防止するために、排水管２を枕コンクリートブロック２７に固定するとよい。その際には、ベルト等の固定具２９を使用するとよい。
【００３５】
尚、固定筒ボルト挿入孔１４，１４......と調整筒ボルト挿入孔１３，１３......は、何れかのボルト挿入孔のうち、少なくとも１つのボルト挿入孔が、その長穴状の長さ方向を排水管２の長さ方向と交差する向きとなるように形成されていればよい。
【図面の簡単な説明】
【００３６】
【図１】本発明に係る排水溝構造の一例を示す断面図である。
【図２】同上の分解斜視図である。
【図３】（ａ）本発明に係る排水溝構造を構成する固定筒の一例を示す平面図である。（ｂ）同上の側面図である。
【図４】（ａ）本発明に係る排水溝構造を構成する調整筒の一例を示す平面図である。（ｂ）同上の側面図である。
【図５】本発明に係る排水溝構造の一例を示す部分拡大断面図である。
【図６】同上の側面図である。
【図７】同上の平面図である。
【図８】同上の断面図である。
【図９】従来の排水溝構造における溝蓋の使用状況を示す断面図である。
【図１０】同上の溝蓋を示す平面図である。
【符号の説明】
【００３７】
Ａ 地表面
１ 排水溝構造
２ 排水管
３ 通水筒
４ 取水孔
５ 集水口
６ グレーチング
１１ 固定筒
１２ 調整筒
１２ａ 調整筒下枠部
１２ｂ 調整筒上枠部
１３ 調整筒ボルト挿入孔
１４ 固定筒ボルト挿入孔
１５ ボルト
１６ フランジ部
１７ 固定用貫通孔
１８ 固定用貫通孔
１９ ブラインドリベット
２１ 支持板
２２ 調整筒フランジ部
２３ ナット
２４ ワッシャー
２５ 連結筒
２６ 溝
２７ 枕コンクリートブロック
２７ａ 排水管嵌合用凹部
２８ コンクリート
２９ 固定具
４１ 溝蓋
４２ 排水部（グレーチング）
４３ 箱状体
４４ 舗装材
【図１】
0005013294.tif 000002
【図２】
0005013294.tif 000003
【図３】
0005013294.tif 000004
【図４】
0005013294.tif 000005
【図５】
0005013294.tif 000006
【図６】
0005013294.tif 000007
【図７】
0005013294.tif 000008
【図８】
0005013294.tif 000009
【図９】
0005013294.tif 000010
【図１０】
0005013294.tif 000011